(57)【要約】【課題】シングルディスプレイ表示された画像と、マルチディスプレイ表示された画像との間のコントラストの差を低減することのできる技術を提供する。【解決手段】本発明の制御装置は、液晶パネルと、発光単位毎に、決定された発光輝度で発光するバックライトと、を備える複数の表示装置を有するシステムの、少なくとも１つの表示装置を制御する制御装置であって、システムにおいて、シングルディスプレイ表示とマルチディスプレイ表示の両方が行われているか否かを判定する表示判定手段と、表示判定手段でシングルディスプレイ表示とマルチディスプレイ表示の両方が行われていると判定された場合に、シングルディスプレイ表示の表示装置と、マルチディスプレイ表示の仮想的な表示装置とで、発光単位の配列態様及び配列数が一致するように、制御対象の表示装置の発光単位のサイズを変更する変更手段と、を有する。【選択図】図１
2013024983.tif 000002
【特許請求の範囲】
【請求項１】
液晶パネルと、複数の分割領域からなり、１つ以上の分割領域を１つの発光単位として、発光単位毎に、決定された発光輝度で発光するバックライトと、を備える複数の表示装置を有するシステムの、少なくとも１つの表示装置を制御する制御装置であって、
前記システムにおいて、１つの画像を１つの表示装置で表示するシングルディスプレイ表示と、複数の表示装置を１つの仮想的な表示装置として、１つの画像を複数の表示装置で分割表示するマルチディスプレイ表示との両方が行われているか否かを判定する表示判定手段と、
前記表示判定手段でシングルディスプレイ表示とマルチディスプレイ表示の両方が行われていると判定された場合に、シングルディスプレイ表示の表示装置と、マルチディスプレイ表示の仮想的な表示装置とで、画像の表示領域における発光単位の配列態様及び配列数が一致するように、制御対象の表示装置の発光単位のサイズを変更する変更手段と、
を有することを特徴とする制御装置。
【請求項２】
各表示装置のバックライトは、初期状態において、１つの分割領域を１つの発光単位として、発光単位毎に、決定された発光輝度で発光するものであり、
前記制御装置は、各表示装置の分割領域の配列態様及び配列数を表す配列情報、及び、各表示装置の最大表示解像度を表す解像度情報を取得するディスプレイ情報取得手段を更に有し、
前記変更手段は、前記ディスプレイ情報取得手段で取得された配列情報及び解像度情報を用いて、発光単位のサイズを変更する
ことを特徴とする請求項１に記載の制御装置。
【請求項３】
各表示装置の、シングルディスプレイ表示をしているか、マルチディスプレイ表示をしているかを表す表示状態情報を取得する表示状態情報取得手段を更に有し、
前記表示判定手段は、前記表示状態情報取得手段で取得された表示状態情報を用いて、シングルディスプレイ表示とマルチディスプレイ表示の両方が行われているか否かを判定する
ことを特徴とする請求項１または２に記載の制御装置。
【請求項４】
前記表示判定手段でシングルディスプレイ表示とマルチディスプレイ表示の両方が行われていると判定された場合に、シングルディスプレイ表示されている画像と、マルチディスプレイ表示されている画像とが同じ画像か否かを判定する画像判定手段を更に有し、
前記変更手段は、前記画像判定手段で、シングルディスプレイ表示されている画像と、マルチディスプレイ表示されている画像とが異なると判定された場合には、発光単位のサイズを変更しない
ことを特徴とする請求項１〜３のいずれか１項に記載の制御装置。
【請求項５】
各表示装置で表示されている画像を識別する識別情報を取得する識別情報取得手段を更に有し、
前記画像判定手段は、前記識別情報取得手段で取得された識別情報を用いて、シングルディスプレイ表示されている画像と、マルチディスプレイ表示されている画像とが同じ画像であるか否かを判定する
ことを特徴とする請求項４に記載の制御装置。
【請求項６】
同じ画像をシングルディスプレイ表示及びマルチディスプレイ表示しているか否かを示す表示画像情報を取得する表示画像情報取得手段を更に有し、
前記画像判定手段は、前記表示画像情報取得手段で取得された表示画像情報を用いて、シングルディスプレイ表示されている画像と、マルチディスプレイ表示されている画像と
が同じ画像であるか否かを判定する
ことを特徴とする請求項４に記載の制御装置。
【請求項７】
シングルディスプレイ表示されている画像の縁部の画素値と、マルチディスプレイ表示されている画像の縁部の画素値とを取得する画素値取得手段を更に有し、
前記画像判定手段は、前記画素値取得手段で取得された画素値を用いて、シングルディスプレイ表示されている画像と、マルチディスプレイ表示されている画像とが同じ画像であるか否かを判定する
ことを特徴とする請求項４に記載の制御装置。
【請求項８】
シングルディスプレイ表示されている画像の画素値の統計量と、マルチディスプレイ表示されている画像の画素値の統計量とを取得する統計量取得手段を更に有し、
前記画像判定手段は、前記統計量取得手段で取得された統計量を用いて、シングルディスプレイ表示されている画像と、マルチディスプレイ表示されている画像とが同じ画像であるか否かを判定する
ことを特徴とする請求項４に記載の制御装置。
【請求項９】
前記統計量は、画素値のヒストグラムである
ことを特徴とする請求項８に記載の制御装置。
【請求項１０】
液晶パネルと、複数の分割領域からなり、１つ以上の分割領域を１つの発光単位として、発光単位毎に、決定された発光輝度で発光するバックライトと、を備える複数の表示装置を有するシステムの、少なくとも１つの表示装置を制御する制御装置の制御方法であって、
前記システムにおいて、１つの画像を１つの表示装置で表示するシングルディスプレイ表示と、複数の表示装置を１つの仮想的な表示装置として、１つの画像を複数の表示装置で分割表示するマルチディスプレイ表示との両方が行われているか否かを判定する表示判定ステップと、
前記表示判定ステップでシングルディスプレイ表示とマルチディスプレイ表示の両方が行われていると判定された場合に、シングルディスプレイ表示の表示装置と、マルチディスプレイ表示の仮想的な表示装置とで、画像の表示領域における発光単位の配列態様及び配列数が一致するように、制御対象の表示装置の発光単位のサイズを変更する変更ステップと、
を有することを特徴とする制御装置の制御方法。
【発明の詳細な説明】
【技術分野】
【０００１】
本発明は、表示装置を制御する制御装置及びその制御方法に関する。
【背景技術】
【０００２】
液晶表示装置は、液晶パネル、液晶パネルの背面側に配置されたバックライト、それらを制御する制御回路などを有する。
近年、バックライトを複数の分割領域（発光ブロック）に分割し、発光ブロック毎に輝度を制御する技術が開発されている。これにより、液晶表示装置で表示する画像のコントラストを向上したり、消費電力を低減することが可能となる。このような技術は、ローカルディミングと呼ばれる。
【０００３】
ローカルディミングでは、発光ブロック毎に画像信号が分割され、発光ブロック毎の画像信号の統計量（例えば、最大階調値）が取得される。そして、発光ブロック毎に、取得した最大階調値（最大輝度値）に基づいて、その発光ブロックの輝度が決定される。それにより、輝度値が高い画像信号の領域で発光ブロックの輝度が高くされ、輝度値が低い画像信号の領域で発光ブロックの輝度が低くされる。また、発光ブロック毎に、決定した輝度に基づいて、例えば発光ブロック毎に最明部の輝度（表示輝度）が変化しないように、画像信号に補正処理が施される。このようなローカルディミングは、例えば、特許文献１に開示されている。
ローカルディミングに関する従来技術は、例えば、特許文献２にも開示されている。
特許文献２に開示の技術では、画像信号から発光ブロック毎に代表階調値が算出される。そして、代表階調値が基準値以上の発光ブロックが少ないほど、該発光ブロックの輝度が高くされる。
【先行技術文献】
【特許文献】
【０００４】
【特許文献１】特開２００５−２５８４０３号公報
【特許文献２】特開２００９−２６５６７１号公報
【発明の概要】
【発明が解決しようとする課題】
【０００５】
上述した従来技術では、１つの発光ブロックを１つの発光単位として、発光単位毎に、その発光単位の輝度を調整することにより、コントラストが調整される。
【０００６】
ここで、ユーザがシングルディスプレイ表示された画像とマルチディスプレイ表示された画像を比較することがある。シングルディスプレイ表示は、１つの画像を１つの表示装置で表示するものである。マルチディスプレイ表示は、複数の表示装置を１つの仮想的な表示装置として、１つの画像を複数の表示装置で分割表示するものである。
【０００７】
しかしながら、発光ブロックの配列数、配列態様、サイズは表示装置によって異なる。
そのため、多くの場合、シングルディスプレイ表示の表示装置とマルチディスプレイ表示の仮想的な表示装置との間で、画像の表示領域における発光単位の配列数、配列態様、サイズが異なってしまうことがある。その結果、多くの場合、シングルディスプレイ表示の表示装置とマルチディスプレイ表示の仮想的な表示装置との間で、表示する画像のコントラストが異なってしまう。このようなコントラストの違いは、ユーザに違和感を与えるため、好ましくない。
【０００８】
具体的には、表示装置間で発光単位の配列数、配列態様、サイズなどが異なる場合には、画像の表示サイズに対する発光単位の大きさが異なる場合がある。画像の表示サイズに対して発光単位のサイズが大きい場合には、画像のコントラストは大まかに調整される。一方、画像の表示サイズに対して発光単位のサイズが小さい場合には、コントラストは細かく調整される。そのため、表示装置間で発光単位の配列数、配列態様、サイズなどが異なると、それらの表示装置間で表示する画像のコントラストは異なってしまう。
【０００９】
本発明は、シングルディスプレイ表示された画像と、マルチディスプレイ表示された画像との間のコントラストの差を低減することのできる技術を提供することを目的とする。
【課題を解決するための手段】
【００１０】
本発明の制御装置は、
液晶パネルと、複数の分割領域からなり、１つ以上の分割領域を１つの発光単位として、発光単位毎に、決定された発光輝度で発光するバックライトと、を備える複数の表示装置を有するシステムの、少なくとも１つの表示装置を制御する制御装置であって、
前記システムにおいて、１つの画像を１つの表示装置で表示するシングルディスプレイ表示と、複数の表示装置を１つの仮想的な表示装置として、１つの画像を複数の表示装置で分割表示するマルチディスプレイ表示との両方が行われているか否かを判定する表示判定手段と、
前記表示判定手段でシングルディスプレイ表示とマルチディスプレイ表示の両方が行われていると判定された場合に、シングルディスプレイ表示の表示装置と、マルチディスプレイ表示の仮想的な表示装置とで、画像の表示領域における発光単位の配列態様及び配列数が一致するように、制御対象の表示装置の発光単位のサイズを変更する変更手段と、
を有することを特徴とする。
【００１１】
本発明の制御装置の制御方法は、
液晶パネルと、複数の分割領域からなり、１つ以上の分割領域を１つの発光単位として、発光単位毎に、決定された発光輝度で発光するバックライトと、を備える複数の表示装置を有するシステムの、少なくとも１つの表示装置を制御する制御装置の制御方法であって、
前記システムにおいて、１つの画像を１つの表示装置で表示するシングルディスプレイ表示と、複数の表示装置を１つの仮想的な表示装置として、１つの画像を複数の表示装置で分割表示するマルチディスプレイ表示との両方が行われているか否かを判定する表示判定ステップと、
前記表示判定ステップでシングルディスプレイ表示とマルチディスプレイ表示の両方が行われていると判定された場合に、シングルディスプレイ表示の表示装置と、マルチディスプレイ表示の仮想的な表示装置とで、画像の表示領域における発光単位の配列態様及び配列数が一致するように、制御対象の表示装置の発光単位のサイズを変更する変更ステップと、
を有することを特徴とする。
【発明の効果】
【００１２】
本発明によれば、シングルディスプレイ表示された画像と、マルチディスプレイ表示された画像との間のコントラストの差を低減することができる。
【図面の簡単な説明】
【００１３】
【図１】実施例１に係る制御装置の機能構成を示すブロック図
【図２】制御装置の接続例を示す図
【図３】入力画像の一例を示す図
【図４】ディスプレイに表示される画像の一例を示す図
【図５】ディスプレイの解像度と分割領域の配列の一例を示す図
【図６】関連付け情報の一例を示す図
【図７】実施例１に係る制御装置の処理の流れの一例を示すフロー図
【図８】各ディスプレイの変更後の発光単位の一例を示す図
【図９】実施例２に係る制御装置の機能構成を示すブロック図
【図１０】縁部データの一例を示す図
【図１１】実施例２に係る制御装置の処理の流れの一例を示すフロー図
【図１２】実施例３に係る制御装置の機能構成を示すブロック図
【図１３】実施例３に係る制御装置の処理の流れの一例を示すフロー図
【発明を実施するための形態】
【００１４】
以下、本発明の制御装置及びその制御方法の具体的な実施例について説明する。本実施例に係る制御装置は、複数の表示装置を有するシステムの、少なくとも１つの表示装置を制御する。以下の実施例では、制御装置が１つの表示装置を制御する場合について説明するが、制御装置は、上記システムの一部の複数の表示装置を制御するものであってもよいし、上記システムの全ての表示装置を制御するものであってもよい。
【００１５】
＜実施例１＞
図１は、本発明の実施例１に係る制御装置の機能構成を示すブロック図である。図１に示すように、本実施例に係る制御装置は、表示方法設定部１００、装置間制御部１０１、発光単位決定部１０２、ディスプレイ１０３などを有する。なお、ディスプレイ１０３は、制御装置の一部であってもよいし、制御装置とは別体の装置であってもよい。
【００１６】
図２は、制御装置の接続例を示す図である。図２の例では、５つの制御装置１０４〜１０８が互いに接続されている場合の例である。制御装置間の接続には、例えば、ＵＳＢケーブルやＬＡＮケーブルなど、制御信号の送受信が可能なケーブルが用いられる。図２の各制御装置は、図１に示す構成を有する。即ち、本実施例に係る制御装置は、５つの表示装置（ディスプレイ）を有するシステムの、１つのディスプレイを制御する。なお、互いに接続される制御装置の数は５に限らない。互いに接続される制御装置の数は、例えば、３，７，９，１０でもよい。
【００１７】
以下、図２に示すように制御装置１０４〜１０８が互いに接続されている場合の例について説明する。本実施例では、各制御装置は、他の制御装置と情報の送受信を行いながら自身が有するディスプレイを制御する。
【００１８】
ディスプレイ１０３は、入力された画像信号に基づく画像を表示する液晶表示装置である。ディスプレイ１０３は、複数の液晶素子を有する液晶パネル、液晶パネルの背面に光を照射するバックライト、それらを制御する制御部などを有する。バックライトは、複数の分割領域（発光ブロック）からなり、１つ以上の分割領域を１つの発光単位として、発光単位毎に、決定された発光輝度で発光する。即ち、本実施例に係るバックライトは、ローカルディミング可能な構成を有する。制御部は、入力された画像信号に基づいて、液晶素子が有する液晶素子の透過率（バックライトからの光の透過率）を制御する。また、制御部は、入力された画像信号に基づいて、各発光単位の発光輝度を制御する。バックライトからの光が液晶パネルを透過することにより、ディスプレイ１０３に画像が表示される。
また、本実施例では、ディスプレイ１０３のバックライトは、初期状態において、１つの分割領域を１つの発光単位として、発光単位毎に、決定された発光輝度で発光するものとする。
【００１９】
表示方法設定部１００は、ユーザ操作に応じて、ディスプレイ１０３での画像の表示方
法を設定する。ディスプレイ１０３は、設定された表示方法に応じた表示を行う。具体的には、シングルディスプレイ表示またはマルチディスプレイ表示が行われる。シングルディスプレイ表示は、１つの画像を１つのディスプレイで表示するものである。マルチディスプレイ表示は、複数のディスプレイを１つの仮想的なディスプレイとして、１つの画像を複数のディスプレイで分割表示するものである。
そして、表示方法設定部１００は、設定した表示方法に応じて、ディスプレイ１０３がシングルディスプレイ表示をしているか、マルチディスプレイ表示をしているかを表す表示状態情報を生成し、装置間制御部１０１へ出力する。本実施例では、表示状態情報として、「通常表示」、「左上表示」、「右上表示」、「左下表示」、及び、「右下表示」のいずれかが生成されるものとする。「通常表示」は、ディスプレイがシングルディスプレイ表示をしていることを表し、「左上表示」、「右上表示」、「左下表示」、及び、「右下表示」は、ディスプレイがマルチディスプレイ表示をしていることを表す。具体的には、「左上表示」、「右上表示」、「左下表示」、及び、「右下表示」は、上記仮想的な表示装置（ディスプレイ）で表示されている画像のうち、実際のディスプレイに表示されている画像の領域を表す。詳細は後述する。
【００２０】
図２の制御装置１０４〜１０８の表示状態情報と、制御装置１０４〜１０８のディスプレイに表示される画像（表示画像）の一例を図４に示す。図４は、各制御装置のディスプレイに図３に示す画像１０９が入力された場合の各ディスプレイの表示画像の例である。
本実施例では、画像はディスプレイの表示画面に全画面表示される。即ち、シングルディスプレイ表示では、１つのディスプレイの表示画面全体に画像が表示される。そのため、画像の表示領域は１つのディスプレイの表示画面全体の領域となり、画像の表示サイズは、１つのディスプレイの表示画面のサイズ（表示画面の画素数）となる。マルチディスプレイ表示では、複数のディスプレイ（本実施例では２×２のディスプレイ）の表示画面を合わせた画面全体（仮想的なディスプレイの表示画面全体）に画像が表示される。そのため、画像の表示領域は、２×２に並べられた４つの表示画面の領域を合わせた領域となり、画像の表示サイズは、２×２に並べられた４つの表示画面を合わせたサイズとなる。
図４の例では、制御装置１０４の表示状態情報は「通常表示」である。この場合、制御装置１０４のディスプレイには、図４に示すように、入力画像全体（即ち、画像１０９全体）が表示される。
制御装置１０５の表示状態情報は「左上表示」である。この場合、制御装置１０５のディスプレイには、図４に示すように、入力画像の左上１／４の領域の画像が表示される。
制御装置１０６の表示状態情報は「右上表示」である。この場合、制御装置１０６のディスプレイには、図４に示すように、入力画像の右上１／４の領域の画像が表示される。
制御装置１０７の表示状態情報は「左下表示」である。この場合、制御装置１０７のディスプレイには、図４に示すように、入力画像の左下１／４の領域の画像が表示される。
制御装置１０８の表示状態情報は「右下表示」である。この場合、制御装置１０８のディスプレイには、図４に示すように、入力画像の右下１／４の領域の画像が表示される。
即ち、図４の例では、制御装置１０５〜１０８のディスプレイに画像が１／４ずつ表示されることにより、画像全体が表示される。
なお、表示状態情報は、上述した情報に限らない。ディスプレイがシングルディスプレイ表示をしているか、マルチディスプレイ表示をしているかを表す情報であればよい。
【００２１】
装置間制御部１０１は、自装置（制御装置）に接続された制御装置を検出する。
また、装置間制御部１０１は、表示状態情報、制御対象のディスプレイの解像度情報、バックライト制御情報、入力画像情報を、装置間制御信号として、他の制御装置（他の装置間制御部）へ送信する。解像度情報は、制御対象のディスプレイの最大表示解像度を表す。バックライト制御情報は、制御対象のディスプレイの分割領域の配列数及び配列態様を表す配列情報である。解像度情報と配列情報は、いずれもディスプレイ固有の情報であり、本実施例ではこれらをまとめてディスプレイ情報と呼ぶ。入力画像情報は、入力画像
（即ち、制御対象のディスプレイで表示されている画像）を識別する識別情報である。入力画像情報は、例えば、入力画像信号に含まれるメタデータであってもよいし、入力画像信号のファイル名などであってもよい。制御対象のディスプレイの解像度情報、バックライト制御情報、入力画像情報は、例えば、該ディスプレイから取得される。なお、本実施例では、制御装置と制御対象のディスプレイとが一体の構成であるため、制御対象のディスプレイの解像度情報、バックライト制御情報は、製造段階において、制御装置内に予め記憶されていてもよい。
また、装置間制御部１０１は、上記情報（装置間制御信号）を他の制御装置から受信する。そして、装置間制御部１０１は、受信した情報（及び、自身の情報）を制御装置ごとに関連付けして関連付け情報を生成し、発光単位決定部１０２へ出力する。
【００２２】
図５（ａ），（ｂ）は、ディスプレイの解像度と分割領域の配列の一例を示す。
【００２３】
本実施例では、制御装置１０４のディスプレイ１０３が図５（ａ）に示す構成を有するものとする。そのため、制御装置１０４の解像度情報とバックライト制御情報は以下の情報となる。制御装置１０４の装置間制御部１０１は、以下の情報を制御装置１０５〜１０８へ出力する。
解像度情報          ：４０９６×２０４８（水平方向の画素数×垂直方向の画素数）
バックライト制御情報：８×８（水平方向の分割領域の数×垂直方向の分割領域の数）
【００２４】
また、本実施例では、制御装置１０５のディスプレイ１０３が図５（ｂ）に示す構成を有するものとする。そのため、制御装置１０５の解像度情報とバックライト制御情報は以下の情報となる。制御装置１０５の装置間制御部１０１は、以下の情報を制御装置１０４，１０６〜１０８へ出力する。
解像度情報          ：２０４８×１０２４
バックライト制御情報：８×８
【００２５】
また、制御装置１０６〜１０８のディスプレイ１０３も、制御装置１０５のディスプレイ１０３と同様に、図５（ｂ）に示す構成を有するものとする。そのため、制御装置１０６〜１０８の装置間制御部１０１からは、制御装置１０５と同じ解像度情報とバックライト制御情報が他の制御装置へ出力される。
【００２６】
図６は、制御装置１０４の装置間制御部１０１が作成する関連付け情報の例である。制御装置１０５〜１０８においても同様に関連付け情報が作成される。
【００２７】
発光単位決定部１０２は、ディスプレイ１０３のバックライトの発光単位を決定し、該発光単位を表す発光単位制御信号を、ディスプレイ１０３に出力する。ディスプレイ１０３では、入力された発光単位制御信号で表される発光単位でローカルディミングが行われる。
発光単位決定部１０２は、装置間制御部１０１から上記関連付け情報を取得する。即ち、発光単位決定部１０２は、各表示装置（各ディスプレイ）の表示状態情報、解像度情報、バックライト制御情報、入力画像情報を取得する（表示状態情報取得、ディスプレイ情報取得、識別情報取得）。
発光単位決定部１０２は、上述したシステム（５つのディスプレイを有するシステム）において、シングルディスプレイ表示とマルチディスプレイ表示の両方が行われているか否かを判定する（表示判定）。
そして、発光単位決定部１０２は、シングルディスプレイ表示とマルチディスプレイ表示の両方が行われていると判定した場合に、制御対象のディスプレイの発光単位のサイズを変更する。具体的には、発光単位決定部１０２は、シングルディスプレイ表示のディスプレイとマルチディスプレイ表示の仮想的なディスプレイとで、画像の表示領域における発光単位の配列態様及び配列数が一致するように、制御対象のディスプレイの発光単位のサイズを変更する。
【００２８】
以下、実施例１に係る制御装置１０４の処理の流れの一例を図７のフロー図を用いて説明する。
以下では、図２に示す制御装置１０４〜１０８のディスプレイに、図３に示す画像の信号が入力され、図４に示すように各ディスプレイに画像が表示される場合について説明する。
また、以下では、制御装置１０４のディスプレイは図５（ａ）に示す構成を有し、制御装置１０５〜１０８のディスプレイは図５（ｂ）に示す構成を有するものとする。
なお、図７の処理フローは、制御装置１０４に限らず、各制御装置が個々に実行するものである。即ち、制御装置１０５〜１０８も、図７の処理フローを実行する。
【００２９】
ステップＳ１００において、表示方法設定部１００は、ユーザ操作に応じて、表示状態情報を生成し、装置間制御部１０１へ出力する。ここでは、表示状態情報として「通常表示」が生成される。
ステップＳ１０１において、装置間制御部１０１は、接続された制御装置を検出する。ここでは、４つの制御装置（制御装置１０５〜１０８）が検出される。
ステップＳ１０２において、装置間制御部１０１は、接続されている制御装置から、その制御装置（その制御装置の処理対象であるディスプレイ）の表示状態情報を取得する。ここでは、表示状態情報として制御装置１０５から「左上表示」、制御装置１０６から「右上表示」、制御装置１０７から「左下表示」、制御装置１０８から「右下表示」が取得される。
ステップＳ１０３において、装置間制御部１０１は、接続されている制御装置から、その制御装置のディスプレイ情報（解像度情報及びバックライト制御情報）を取得する。ここでは、制御装置１０５〜１０８から、解像度情報として「２０４８×１０２４」が、バックライト制御情報として「８×８」が取得される。
ステップＳ１０４において、装置間制御部１０１は、接続されている制御装置から、その制御装置の入力画像情報を取得する。ここでは、制御装置１０５〜１０８から、入力画像情報として「コンテンツＡ」が取得される。
【００３０】
ステップＳ１０５において、装置間制御部１０１は、ステップＳ１０２〜Ｓ１０４で取得した情報、及び、自装置の情報を制御装置ごとに関連付けし、関連付け情報を生成する。そして、装置間制御部１０１は、生成した関連付け情報を発光単位決定部１０２へ出力する。
【００３１】
ステップＳ１０６において、発光単位決定部１０２は、関連付け情報から、接続されている制御装置の数（接続台数）を判断し、ユーザの視聴状況（ユーザが複数のディスプレイを用いて画像を比較表示している可能性があるか否か）を判定する。
接続されている制御装置の数が０よりも多い場合は、ユーザが複数のディスプレイを用いて画像を比較表示している可能性があると判定され、ステップＳ１０７へ処理が進められる。接続されている制御装置の数が０の場合は、ユーザが複数のディスプレイを用いて画像を比較表示している可能性がないと判定され、ステップＳ１１０へ処理が進められる。
ここでは、接続されている制御装置の数は４と判断され、ステップＳ１０７へ処理が進められる。
【００３２】
ステップＳ１０７において、発光単位決定部１０２は、関連付け情報（各ディスプレイの表示状態情報）から、複数の制御装置を用いてシングルディスプレイ表示とマルチディスプレイ表示との両方が行われているか否かを判定する（表示判定）。即ち、ユーザが、シングルディスプレイ表示の画像とマルチディスプレイ表示の画像を比較している可能性があるか否かを判定する。具体的には、関連付け情報に含まれる５つの表示状態情報が「通常表示」、「左上表示」、「右上表示」、「左下表示」、「右下表示」である場合に、シングルディスプレイ表示とマルチディスプレイ表示との両方が行われていると判定する。シングルディスプレイ表示とマルチディスプレイ表示との両方が行われていると判定された場合は、ステップＳ１０８へ処理が進められ、そうでない場合は、ステップＳ１１０へ処理が進められる。
ここでは、関連付け情報に含まれる５つの表示状態情報が「通常表示」、「左上表示」、「右上表示」、「左下表示」、「右下表示」であるため、ステップＳ１０８へ処理が進められる。
【００３３】
ステップＳ１０９において、発光単位決定部１０２は、シングルディスプレイ表示されている画像と、マルチディスプレイ表示されている画像とが同じ画像か否かを判定する（画像判定）。即ち、ユーザが、同じ画像を比較している否かを判定する。本実施例では、関連付け情報（各ディスプレイの入力画像情報）から、シングルディスプレイ表示されている画像と、マルチディスプレイ表示されている画像とが同じ画像か否かを判定する。具体的には、シングルディスプレイ表示のディスプレイ及びマルチディスプレイ表示の複数のディスプレイの入力画像情報が全て等しい場合に、シングルディスプレイ表示されている画像と、マルチディスプレイ表示されている画像とが同じ画像であると判定する。シングルディスプレイ表示されている画像と、マルチディスプレイ表示されている画像とが同じ画像であると判定された場合は、ステップＳ１０９へ処理が進められる。シングルディスプレイ表示されている画像と、マルチディスプレイ表示されている画像とが異なると判定された場合は、ステップＳ１１０へ処理が進められる。
ここでは、シングルディスプレイ表示のディスプレイ及びマルチディスプレイ表示の複数のディスプレイの入力画像情報が全て「コンテンツＡ」であるため、ステップＳ１０９へ処理が進められる。
【００３４】
ステップＳ１０９において、発光単位決定部１０２は、制御対象の表示装置の発光単位を決定する。以下、詳しく説明する。
【００３５】
まず、発光単位決定部１０２は、関連付け情報（各ディスプレイのバックライト制御情報）から、シングルディスプレイ表示のディスプレイと、マルチディスプレイ表示の仮想的なディスプレイとで、画像の表示領域における発光単位の配列態様及び配列数が同じか否かを判定する。そして、シングルディスプレイ表示のディスプレイと、マルチディスプレイ表示の仮想的なディスプレイとで、発光単位の配列態様及び配列数が異なる場合には、発光単位の変更が必要であると判断し、処理を進める。シングルディスプレイ表示のディスプレイと、マルチディスプレイ表示の仮想的なディスプレイとで、発光単位の配列態様及び配列数が同じ場合には、１つの分割領域が１つの発光単位とされる（発光単位のサイズの変更は行われない）。
ここでは、制御装置１０４〜１０８が制御する各ディスプレイのバックライト制御情報は全て「８×８」である。また、初期状態では１つの分割領域が１つの発光単位とされる。そのため、シングルディスプレイ表示の表示装置の発光単位の配列が「８×８」であるのに対し、マルチディスプレイ表示（制御装置１０５〜１０８のディスプレイを水平方向２×垂直方向２に並べて用いた表示）の仮想的な表示装置の発光単位の配列は「１６×１６」となる。その結果、発光単位の変更が必要であると判断され、以下のように、マルチディスプレイ表示の仮想的な表示装置の発光単位の配列をシングルディスプレイ表示の表
示装置の発光単位の配列「８×８」に合わせる制御が行われる。
【００３６】
本実施例では、シングルディスプレイ表示のディスプレイと、マルチディスプレイ表示の仮想的なディスプレイの画面のサイズが同じ（いずれも４０９６×２０４８）である。そこで、本実施例では、発光単位決定部１０２は、シングルディスプレイ表示のディスプレイと、マルチディスプレイ表示の仮想的なディスプレイとで、画像の表示サイズに対する発光単位のサイズが等しくなるように、制御対象のディスプレイの発光単位を決定する。
【００３７】
具体的には、発光単位決定部１０２は、以下の式１−１，１−２により、関連付け情報（各ディスプレイのディスプレイ情報）から、各ディスプレイの分割領域の水平方向及び垂直方向のサイズを、発光単位の水平方向、垂直方向のサイズの最小値として算出する。式１−１，１−２において、水平最小発光単位は、発光単位の水平方向のサイズの最小値（分割領域の水平方向のサイズ）、垂直最小発光単位は、発光単位の垂直方向のサイズの最小値（分割領域の垂直方向のサイズ）である。水平解像度は、ディスプレイの水平方向の画素数、垂直解像度は、ディスプレイの垂直方向の画素数である。水平分割領域数は、水平方向の分割領域の数、垂直分割領域数は、垂直方向の分割領域の数である。
水平最小発光単位＝水平解像度／水平分割領域数  ・・・（式１−１）
垂直最小発光単位＝垂直解像度／垂直分割領域数  ・・・（式１−２）
【００３８】
制御装置１０４のディスプレイの水平最小発光単位、垂直最小発光単位は、
水平最小発光単位＝４０９６／８＝５１２
垂直最小発光単位＝２０４８／８＝２５６
となる。
制御装置１０５〜１０８のディスプレイの水平最小発光単位、垂直最小発光単位は、
水平最小発光単位＝２０４８／８＝２５６
垂直最小発光単位＝１０２４／８＝１２８
となる。
制御装置１０５〜１０８のディスプレイを水平方向２×垂直方向２に並べてマルチディスプレイ表示が行われている画像の表示サイズ（水平方向の画素数と垂直方向の画素数）は、
水平方向の画素数（仮想的なディスプレイの水平解像度）＝２０４８×２＝４０９６
垂直方向の画素数（仮想的なディスプレイの垂直解像度）＝１０２４×２＝２０４８
となる。
よって、マルチディスプレイ表示の仮想的な表示装置の発光単位の配列をシングルディスプレイ表示の表示装置の発光単位の配列「８×８」に合わせるために、マルチディスプレイ表示の仮想的な表示装置のディスプレイの水平発光単位、垂直発光単位を、
水平発光単位＝４０９６／８＝５１２
垂直発光単位＝２０４８／８＝２５６
とする必要がある。
【００３９】
そして、発光単位決定部１０２は、上記算出結果から、制御装置１０５〜１０８のディスプレイの発光単位を水平方向と垂直方向、それぞれ２倍に拡大する必要があると判断する。そのため、制御装置１０４では、発光単位のサイズの変更は行われない（１つの分割
領域が１つの発光単位とされる）。制御装置１０５〜１０８では、それぞれ、処理対象のディスプレイの発光単位が、水平方向と垂直方向、それぞれ２倍に拡大される。
以上がステップＳ１０９の処理の例である。
【００４０】
ステップＳ１１０において、発光単位決定部１０２は、１つの分割領域を１つの発光単位とする（発光単位のサイズを変更しない）。
【００４１】
各制御装置が上述した処理フローを実行した後の、各ディスプレイの発光単位の一例を図８に示す。各制御装置が上述した処理フローを実行することにより、図８に示すように、制御装置１０５〜１０８のディスプレイからなる１つの仮想的なディスプレイと、制御装置１０４のディスプレイとで、画像の表示領域における発光単位の配列態様、配列数、サイズが等しくなる。そのため、シングルディスプレイ表示のディスプレイと、マルチディスプレイ表示の仮想的なディスプレイとで、同じようにローカルディミングが行われる。その結果、シングルディスプレイ表示された画像と、マルチディスプレイ表示された画像との間のコントラストの差を低減することができる。
【００４２】
以上述べたように、本実施例によれば、シングルディスプレイ表示の表示装置と、マルチディスプレイ表示の仮想的な表示装置とで、画像の表示領域における発光単位の配列態様及び配列数が一致するように、制御対象の表示装置の発光単位のサイズが変更される。それにより、シングルディスプレイ表示のディスプレイと、マルチディスプレイ表示の仮想的なディスプレイとで、画像の表示領域において同じようにローカルディミングを行うことが可能となる。その結果、シングルディスプレイ表示された画像と、マルチディスプレイ表示された画像との間のコントラストの差を低減することができる。
【００４３】
なお、本実施例では、初期状態において、シングルディスプレイ表示の表示装置と、マルチディスプレイ表示の仮想的な表示装置とで、画像の表示領域における発光単位の配列態様及び配列数が同じ場合に、発光単位のサイズを変更しない構成としたが、この構成に限らない。例えば、初期状態において、シングルディスプレイ表示の表示装置と、マルチディスプレイ表示の仮想的な表示装置とで、画像の表示領域における発光単位の配列態様及び配列数が同じ場合に、初期状態よりも発光単位を大きくしてもよい。
【００４４】
なお、本実施例では、表示状態情報からシングルディスプレイ表示とマルチディスプレイ表示の両方が行われているか否かを判定する構成としたが、この構成に限らない。例えば、ユーザ操作により、シングルディスプレイ表示とマルチディスプレイ表示の両方を行っているか否かが判断されてもよい。
なお、本実施例では、ディスプレイの画面全体に画像が表示される場合について説明したが、画像は画面の一部に表示されていてもよい。例えば、画像はシングルディスプレイ表示を行っているディスプレイの画面の一部に表示されていてもよいし、マルチディスプレイ表示を行っている仮想的なディスプレイの画面の一部に表示されていてもよい。その場合には、画像の表示領域のサイズ、画像の表示領域における分割領域数を用いて、上述した処理と同様の処理を行えばよい。
【００４５】
なお、シングルディスプレイ表示されている画像とマルチディスプレイ表示されている画像が同じ場合には、それらの画像間のコントラストの違いが感知されやすい。そこで、本実施例では、表示されている画像が同じ場合にのみ発光単位のサイズを変更する構成とした。即ち、シングルディスプレイ表示されている画像とマルチディスプレイ表示されている画像が異なる場合に、発光単位のサイズを変更しない構成とした。しかし、このような構成に限らない。シングルディスプレイ表示されている画像とマルチディスプレイ表示されている画像が異なっていても、一方の画像のコントラストに比べ他方の画像のコントラストが極端に高い（低い）場合には、ユーザが違和感を覚える虞がある。そのため、表
示する画像に拘わらず、発光単位のサイズを変更してもよい。
【００４６】
なお、本実施例では、入力画像情報（表示装置で表示されている画像を識別する情報）を用いて、シングルディスプレイ表示されている画像とマルチディスプレイ表示されている画像とが同じ画像か否かを判定する構成としたが、この構成に限らない。同じ画像をシングルディスプレイ表示及びマルチディスプレイ表示しているか否かを示す表示画像情報を取得し（表示画像情報取得）、該表示画像情報を用いて上記判定が行われてもよい。表示画像情報は、例えば、ユーザ操作に応じて入力される。
【００４７】
なお、本実施例では、解像度情報とバックライト制御情報とを用いて、発光単位のサイズを変更する構成としたが、この構成に限らない。システムに含まれる表示装置が予め決まっている（シングルディスプレイ表示の表示装置と、マルチディスプレイ表示の仮想的な表示装置との画面のサイズが予め決まっている）場合には、変更後の発光単位のサイズが予め記憶されていてもよい。そして、シングルディスプレイ表示とマルチディスプレイ表示の両方が行われている場合に、発光単位が予め記憶されているサイズに変更されてもよい。
【００４８】
なお、本実施例では、シングルディスプレイ表示の表示装置と、マルチディスプレイ表示の仮想的な表示装置の画面のサイズが同じであるため、両者の発光単位のサイズを一致させる構成としたが、そのような構成に限らない。シングルディスプレイ表示の表示装置と、マルチディスプレイ表示の仮想的な表示装置の画面のサイズは異なっていてもよい。例えば、制御装置１０４〜１０８の表示装置が全て図５（ａ）の表示装置であってもよい。即ち、制御装置１０４の表示装置に表示する画像に対して拡大された画像が、制御装置１０５〜１０８の表示装置に分割表示されてもよい。その場合であっても、シングルディスプレイ表示の表示装置と、マルチディスプレイ表示の仮想的な表示装置とで、画像の表示領域における発光単位の配列態様及び配列数が一致するように（共に「８×８」となるように）、発光単位のサイズが変更されればよい。
【００４９】
＜実施例２＞
図９は、本発明の実施例２に係る制御装置の機能構成を示すブロック図である。実施例１との違いは、縁部データ取得部２００が追加された点である。
なお、他の機能ブロックは実施例１と同様であるため、その説明は省略する。
また、本実施例では、実施例１と同様に、５つの制御装置１０４〜１０８（図９の構成を有する制御装置）が用いられ、各制御装置のディスプレイには、図４に示すように画像が表示されるものとする。
【００５０】
縁部データ取得部２００は、制御対象のディスプレイで表示されている画像（シングルディスプレイ表示されている画像またはマルチディスプレイ表示のために分割表示されている画像（分割画像））の縁部の画素値を取得し、装置間制御部１０１へ出力する。
図１０に制御装置１０４〜１０８が取得する縁部データの一例を示す。
制御装置１０４は、縁部データとして、左縁部データ２４１、上縁部データ２４２、右縁部データ２４３、下縁部データ２４４を取得する。左縁部データ２４１は、表示されている画像の左側の縁部データである。上縁部データ２４２は、表示されている画像の上側の縁部データである。右縁部データ２４３は、表示されている画像の右側の縁部データである。下縁部データ２４４は、表示されている画像の下側の縁部データである。
制御装置１０５は、縁部データとして、左縁部データ２５１、上縁部データ２５２、右縁部データ２５３、下縁部データ２５４を取得する。
制御装置１０６は、縁部データとして、左縁部データ２６１、上縁部データ２６２、右縁部データ２６３、下縁部データ２６４を取得する。
制御装置１０７は、縁部データとして、左縁部データ２７１、上縁部データ２７２、右
縁部データ２７３、下縁部データ２７４を取得する。
制御装置１０８は、縁部データとして、左縁部データ２８１、上縁部データ２８２、右縁部データ２８３、下縁部データ２８４を取得する。
【００５１】
装置間制御部１０１は、縁部データ取得部２００により取得された縁部データを他の制御装置へ送信する。また、装置間制御部１０１は、他の制御装置から、その制御装置の制御対象とするディスプレイに表示されている画像から取得された縁部データを受信する。そして、装置間制御部１０１は、制御装置毎の縁部データを発光単位決定部１０２へ出力する。
発光単位決定部１０２は、装置間制御部１０１から制御装置毎の縁部データを取得する。換言すれば、発光単位決定部１０２は、シングルディスプレイ表示されている画像の縁部の画素値と、マルチディスプレイ表示されている画像の縁部の画素値とを取得する（画素値取得）。そして、発光単位決定部１０２は、取得した縁部データを用いて、シングルディスプレイ表示されている画像と、マルチディスプレイ表示されている画像とが同じ画像であるか否かを判定し、同じ画像である場合にのみ発光単位の変更を行う。
【００５２】
以下、実施例２に係る制御装置の処理の流れの一例を図１１のフロー図を用いて説明する。本実施例に係る制御装置は、図７のＳ１０８の処理の代わりに、図１１のステップＳ２００〜Ｓ２０５の処理を行う。なお、他の処理は実施例１と同様のため、その説明は省略する。
【００５３】
ステップＳ２００において、縁部データ取得部２００は、処理対象のディスプレイに表示されている画像の縁部データを取得し、装置間制御部１０１へ出力する。装置間制御部１０１は、他の制御装置から縁部データを受信し、各制御装置の縁部データを発光単位決定部１０２へ出力する。
【００５４】
ステップＳ２０１において、発光単位決定部１０２は、制御装置１０５のディスプレイに表示されている画像と制御装置１０６のディスプレイに表示されている画像とがつながるか否かを判定する。具体的には、制御装置１０５のディスプレイに表示されている画像と制御装置１０６のディスプレイに表示されている画像との境界部のデータ（右縁部データ２５３と左縁部データ２６１）が一致しているか否かが判定される（境界部判定）。制御装置１０５のディスプレイに表示されている画像と制御装置１０６のディスプレイに表示されている画像とがつながる（右縁部データ２５３と左縁部データ２６１が一致している）場合には、ステップＳ２０２へ処理が進められる。制御装置１０５のディスプレイに表示されている画像と制御装置１０６のディスプレイに表示されている画像とがつながらない（右縁部データ２５３と左縁部データ２６１が一致していない）場合には、ステップＳ１１０へ処理が進められる。
【００５５】
ステップＳ２０２において、発光単位決定部１０２は、制御装置１０７のディスプレイに表示されている画像と制御装置１０８のディスプレイに表示されている画像とがつながるか否かを判定する。具体的には、制御装置１０７のディスプレイに表示されている画像と制御装置１０８のディスプレイに表示されている画像との境界部のデータ（右縁部データ２７３と左縁部データ２８１）が一致しているか否かが判定される。制御装置１０７のディスプレイに表示されている画像と制御装置１０８のディスプレイに表示されている画像とがつながる（右縁部データ２７３と左縁部データ２８１が一致している）場合には、ステップＳ２０３へ処理が進められる。制御装置１０７のディスプレイに表示されている画像と制御装置１０８のディスプレイに表示されている画像とがつながらない（右縁部データ２７３と左縁部データ２８１が一致していない）場合には、ステップＳ１１０へ処理が進められる。
【００５６】
ステップＳ２０３において、発光単位決定部１０２は、制御装置１０５のディスプレイに表示されている画像と制御装置１０７のディスプレイに表示されている画像とがつながるか否かを判定する。具体的には、制御装置１０５のディスプレイに表示されている画像と制御装置１０７のディスプレイに表示されている画像との境界部のデータ（下縁部データ２５４と上縁部データ２７２）が一致しているか否かが判定される。制御装置１０５のディスプレイに表示されている画像と制御装置１０７のディスプレイに表示されている画像とがつながる（下縁部データ２５４と上縁部データ２７２が一致している）場合には、ステップＳ２０４へ処理が進められる。制御装置１０５のディスプレイに表示されている画像と制御装置１０７のディスプレイに表示されている画像とがつながらない（下縁部データ２５４と上縁部データ２７２が一致していない）場合には、ステップＳ１１０へ処理が進められる。
【００５７】
ステップＳ２０４において、発光単位決定部１０２は、制御装置１０６のディスプレイに表示されている画像と制御装置１０８のディスプレイに表示されている画像とがつながるか否かを判定する。具体的には、制御装置１０６のディスプレイに表示されている画像と制御装置１０８のディスプレイに表示されている画像との境界部のデータ（下縁部データ２６４と上縁部データ２８２）が一致しているか否かが判定される。制御装置１０６のディスプレイに表示されている画像と制御装置１０８のディスプレイに表示されている画像とがつながる（下縁部データ２６４と上縁部データ２８２が一致している）場合には、ステップＳ２０５へ処理が進められる。制御装置１０５のディスプレイに表示されている画像と制御装置１０７のディスプレイに表示されている画像とがつながらない（下縁部データ２６４と上縁部データ２８２が一致していない）場合には、ステップＳ１１０へ処理が進められる。以上のステップより、制御装置１０５〜１０８がマルチディスプレイ表示に用いられているか否か（制御装置１０５〜１０８の４つのディスプレイが１つの仮想的なディスプレイを構成しているか否か）が判明する。
【００５８】
ステップＳ２０５において、発光単位決定部１０２は、シングルディスプレイ表示されている画像（ＳＤ画像）と、マルチディスプレイ表示されている画像（ＭＤ画像）との縁部の画素値が一致しているか否かを判定する。具体的には、制御装置１０４のディスプレイに表示されている画像の縁部の画素値と、制御装置１０５〜１０８の４つのディスプレイからなる１つの仮想的なディスプレイに表示されている画像の縁部の画素値が一致しているか否かを判定する。
まず、左縁部データ２４１と、左縁部データ２５１及び左縁部データ２７１からなる左縁部データとが一致しているか否かが判定される。
次に、上縁部データ２４２と、上縁部データ２５２及び上縁部データ２６２からなる上縁部データとが一致しているか否かが判定される。
次に、右縁部データ２４３と、右縁部データ２６３及び右縁部データ２８３からなる右縁部データとが一致しているか否かが判定される。
最後に、下縁部データ２４４と、下縁部データ２７４及び下縁部データ２８４からなる下縁部データとが一致しているか否かが判定される。
上記４つの判定処理の全てにおいて「一致」と判定された場合には、シングルディスプレイ表示されている画像と、マルチディスプレイ表示されている画像とが同じ画像であると判断され、ステップＳ１０９へ処理が進められる。それ以外の場合（上記４つの判定処理のうち少なくとも１つの判定処理において「不一致」と判定された場合）には、マルチディスプレイ表示されている画像とが同じ画像であると判断され、ステップＳ１１０へ処理が進められる。
【００５９】
以上述べたように、本実施例によれば、シングルディスプレイ表示されている画像の縁部の画素値と、マルチディスプレイ表示されている画像の縁部の画素値とが取得される。そして、それら画素値を用いて、シングルディスプレイ表示されている画像と、マルチデ
ィスプレイ表示されている画像とが同じ画像であるか否かが判定される。それにより、実施例１で述べたような識別情報（入力画像情報）や表示画像情報を外部から取得せずに、シングルディスプレイ表示されている画像と、マルチディスプレイ表示されている画像とが同じ画像か否かの判定を行うことができる。例えば、識別情報が画像信号に付加されていなくても、シングルディスプレイ表示されている画像と、マルチディスプレイ表示されている画像とが同じ画像か否かの判定を行うことができる。
【００６０】
なお、本実施例では隣接するであろう２つの分割画像がつながるか否かを判定するものとしたが、そのような判定は行わなくてもよい。即ち、図１１のステップＳ２０１〜Ｓ２０４の処理は行わなくてもよい。但し、ステップＳ２０１〜Ｓ２０４の処理を行うことにより、マルチディスプレイ表示が行われているか否か（制御装置１０５〜１０８のディスプレイにより１つの画像が分割表示されているか否か）を、実施例１よりも精度よく判定することができる。なお、隣接するか否かは、表示状態情報などを用いて判断することができる。
なお、本実施例では、各ディスプレイで表示されている画像の縁部の画素値が取得される構成としたが、そのような構成に限らない。例えば、マルチディスプレイ表示の画像の縁部の画素値として、左縁部データ２５１、左縁部データ２７１、上縁部データ２５２、上縁部データ２６２、右縁部データ２６３、右縁部データ２８３、下縁部データ２７４、下縁部データ２８４が取得されてもよい。また図１１のＳ２０１〜Ｓ２０５において、２つのデータが「一致」するかどうかを判断したが、完全にデータが一致していなくてもよく、２つのデータの差分が所定位置以下であれば「一致」と判断してもよい。
なお、縁部データ（縁部の画素値）は、縁部を構成する各画素の値であってもよいし、縁部を構成する各画素の値の代表値（平均値、最大値、最小値、最頻値など）であってもよい。縁部データとして代表値を用いる場合には、例えば、マルチディスプレイ表示の画像の左縁部データとして、制御装置１０５，１０７のディスプレイに表示される画像の左縁部を構成する各画素の値の代表値が取得される。
【００６１】
＜実施例３＞
図１２は、本発明の実施例３に係る制御装置の機能構成を示すブロック図である。実施例１との違いは、統計量取得部３００が追加された点である。
なお、他の機能ブロックは実施例１と同様であるため、その説明は省略する。
また、本実施例では、実施例１と同様に、５つの制御装置１０４〜１０８（図１２の構成を有する制御装置）が用いられ、各制御装置のディスプレイには、図４に示すように画像が表示されるものとする。
【００６２】
統計量取得部３００は、制御対象のディスプレイで表示されている画像（シングルディスプレイ表示されている画像またはマルチディスプレイ表示のために分割表示されている分割画像）の画素値の統計量を取得し、装置間制御部１０１へ出力する。
例えば、制御装置１０４の場合は、シングルディスプレイ表示されている画像の統計量が取得される。制御装置１０５の場合は、マルチディスプレイ表示されている画像の左上１／４の領域の統計量が取得される。本実施例では、統計量として、輝度階調値毎の度数を表す輝度ヒストグラムが取得されるものとする。
【００６３】
装置間制御部１０１は、統計量取得部３００により取得された統計量を他の制御装置へ送信する。また、装置間制御部１０１は、他の制御装置から、その制御装置の制御対象とするディスプレイに表示されている画像から取得され統計量を受信する。そして、装置間制御部１０１は、制御装置毎の統計量を発光単位決定部１０２へ出力する。
発光単位決定部１０２は、装置間制御部１０１から制御装置毎の統計量を取得する。換言すれば、発光単位決定部１０２は、シングルディスプレイ表示されている画像の統計量と、マルチディスプレイ表示されている画像の統計量とを取得する（統計量取得）。そし
て、発光単位決定部１０２は、取得した統計量を用いて、シングルディスプレイ表示されている画像と、マルチディスプレイ表示されている画像とが同じ画像であるか否かを判定し、同じ画像である場合にのみ発光単位の変更を行う。
【００６４】
以下、実施例３に係る制御装置の処理の流れの一例を図１３のフロー図を用いて説明する。本実施例に係る制御装置は、図７のＳ１０８の代わりに、図１３のステップＳ３００〜Ｓ３０４の処理を行う。なお、他の処理は実施例１と同様のため、その説明は省略する。
【００６５】
ステップＳ３００において、統計量取得部３００は、処理対象のディスプレイに表示されている画像の統計量を取得し、装置間制御部１０１へ出力する。
制御装置１０４は、入力画像全体の輝度ヒストグラムを取得する。
制御装置１０５は、入力画像の左上１／４の領域の輝度ヒストグラムを取得する。
制御装置１０６は、入力画像の右上１／４の領域の輝度ヒストグラムを取得する。
制御装置１０７は、入力画像の左下１／４の領域の輝度ヒストグラムを取得する。
制御装置１０８は、入力画像の右下１／４の領域の輝度ヒストグラムを取得する。
そして、装置間制御部１０１は、他の制御装置から統計量を取得し、各制御装置の統計量を発光単位決定部１０２へ出力する。
【００６６】
ステップＳ３０１において、発光単位決定部１０２は、制御装置１０５の統計量と制御装置１０６〜１０８の統計量が異なるか否かを判定する。制御装置１０５の統計量と制御装置１０６〜１０８の統計量が異なる場合には、ステップＳ３０２へ処理が進められる。制御装置１０５の統計量が制御装置１０６〜１０８の統計量のいずれかと一致している場合には、ステップＳ１１０へ処理が進められる。
【００６７】
ステップＳ３０２において、発光単位決定部１０２は、制御装置１０６の統計量と制御装置１０７，１０８の統計量が異なるか否かを判定する。制御装置１０６の統計量と制御装置１０７，１０８の統計量が異なる場合には、ステップＳ３０３へ処理が進められる。制御装置１０６の統計量が制御装置１０７，１０８の統計量のいずれかと一致している場合には、ステップＳ１１０へ処理が進められる。
【００６８】
ステップＳ３０３において、発光単位決定部１０２は、制御装置１０７の統計量と制御装置１０８の統計量が異なるか否かを判定する。制御装置１０７の統計量と制御装置１０８の統計量が異なる場合には、ステップＳ３０４へ処理が進められる。制御装置１０７の統計量が制御装置１０８の統計量と一致している場合には、ステップＳ１１０へ処理が進められる。
【００６９】
ステップＳ３０４において、発光単位決定部１０２は、シングルディスプレイ表示されている画像（ＳＤ画像）と、マルチディスプレイ表示されている画像（ＭＤ画像）との統計量が一致しているか否かを判定する。具体的には、発光単位決定部１０２は、制御装置１０４の統計量と、制御装置１０５〜１０８の統計量の総和が一致しているか否かを判定する。制御装置１０４の統計量と、制御装置１０５〜１０８の統計量の総和が一致する場合には、シングルディスプレイ表示されている画像と、マルチディスプレイ表示されている画像とが同じ画像であると判断され、ステップＳ１０９へ処理が進められる。制御装置１０４の統計量と、制御装置１０５〜１０８の統計量の総和が一致していない場合には、シングルディスプレイ表示されている画像と、マルチディスプレイ表示されている画像とが同じ画像でないと判断され、ステップＳ１１０へ処理が進められる。
【００７０】
以上述べたように、本実施例によれば、シングルディスプレイ表示されている画像の統計量と、マルチディスプレイ表示されている画像の統計量とが取得される。そして、それ
ら統計量を用いて、シングルディスプレイ表示されている画像と、マルチディスプレイ表示されている画像とが同じ画像であるか否かが判定される。それにより、実施例１で述べたような識別情報（入力画像情報）や表示画像情報を外部から取得せずに、シングルディスプレイ表示されている画像と、マルチディスプレイ表示されている画像とが同じ画像か否かの判定を行うことができる。例えば、識別情報が画像信号に付加されていなくても、シングルディスプレイ表示されている画像と、マルチディスプレイ表示されている画像とが同じ画像か否かの判定を行うことができる。
【００７１】
なお、本実施例では、分割表示を行っている表示装置間で、表示されている分割画像の統計量が互いに異なるか否かを判定するものとしたが、そのような判定は行わなくてもよい。即ち、図１３のステップＳ３０１〜Ｓ３０３の処理は行わなくてもよい。但し、１つの画像をマルチディスプレイ表示する場合、一般に、分割表示を行っている表示装置間で統計量は異なる。そのため、ステップＳ３０１〜Ｓ３０３の処理を行うことにより、マルチディスプレイ表示が行われているか否か（制御装置１０５〜１０８のディスプレイにより１つの画像が分割表示されているか否かを）を、実施例１よりも精度よく判定することができる。
なお、本実施例では、統計量として、輝度階調値毎の度数を表す輝度ヒストグラムが取得されるものとしたが、統計量はこれに限らない。統計量は、ディスプレイに表示されている画像の画素値の代表値（最大値、最小値、平均値、最頻値など）、色データ（Ｒ値、Ｇ値、Ｂ値）などのヒストグラムなどであってもよい。統計量として代表値を用いる場合には、例えば、マルチディスプレイ表示の画像の統計量として、制御装置１０５〜１０８のディスプレイに表示される４つの分割画像から１つの代表値が取得される。即ち、マルチディスプレイ表示の画像の統計量として、上記４つの分割画像を繋ぎ合わせることにより得られる１つの画像から１つの代表値が取得される。
【符号の説明】
【００７２】
１０４〜１０８  制御装置
１０２  発光単位決定部
【図１】
2013024983.tif 000003
【図２】
2013024983.tif 000004
【図３】
2013024983.tif 000005
【図４】
2013024983.tif 000006
【図５】
2013024983.tif 000007
【図６】
2013024983.tif 000008
【図７】
2013024983.tif 000009
【図８】
2013024983.tif 000010
【図９】
2013024983.tif 000011
【図１０】
2013024983.tif 000012
【図１１】
2013024983.tif 000013
【図１２】
2013024983.tif 000014
【図１３】
2013024983.tif 000015